(57)【特許請求の範囲】
【請求項１】
バリアブルな印刷物を製本し、冊子（製本印刷物）の表紙に個別情報を付加し、所定のロット区分ごとの冊子束となるよう前記冊子を束ね、前記冊子束に当て紙結束をして、パレットに積載する製本システムであって、
冊子の個別情報とパレット区分情報とを収録した冊子情報ファイルを記憶する手段と、
当て紙結束された冊子束の最上部に位置する冊子の表紙に付加された個別情報を読み取り、読み取られた個別情報を、ラベルに印字し、当て紙結束された冊子束に貼り付けるラベル貼り付け手段と、
ラベルに印字された個別情報を読み取り、この個別情報により冊子情報ファイルからパレット区分情報を抽出する手段と、
抽出されたパレット区分情報からパレット積載を区分別に行うパレット積載手段と、
を具備することを特徴とする製本システム。
【請求項２】
バリアブルな印刷物を製本し、冊子（製本印刷物）の表紙に個別情報を付加し、所定のロット区分ごとの冊子束となるよう前記冊子を束ね、前記冊子束に当て紙結束をして、パレットに積載する製本システムであって、
冊子の個別情報とパレット区分情報と付加情報とを収録した冊子情報ファイルを記憶する手段と、
当て紙結束された冊子束の最上部に位置する冊子の表紙に付加された個別情報を読み取り、読み取られた個別情報により冊子情報ファイルから冊子の付加情報を抽出し、抽出された付加情報から得た印字データと読み取られた個別情報とを、
ラベルに印字し、当て紙結束された冊子束に貼り付けるラベル貼り付け手段と、
ラベルに印字された個別情報を読み取り、この個別情報により冊子情報ファイルからパレット区分情報を抽出する手段と、
抽出されたパレット区分情報からパレット積載を区分別に行うパレット積載手段と、
を具備することを特徴とする製本システム。
【請求項３】
上記ラベル貼り付け手段は、当て紙結束される前に個別情報を読み取り、当て紙結束中に搬送コンベアの軸の回転数を利用して冊子束の搬送トラッキングを行い、当て紙結束後にその冊子束に貼り付けるラベルの印字及び貼り付けを行うことを特徴とする請求項１又は２記載の製本システム。
【請求項４】
上記個別情報が、バーコードであることを特徴とする請求項１〜３の何れか１項記載の製本システム。
【請求項５】
バリアブルな印刷物を製本し、冊子（製本印刷物）の表紙に個別情報を付加し、所定のロット区分ごとの冊子束となるよう前記冊子を束ね、前記冊子束に当て紙結束をして、パレットに積載する製本方法であって、
冊子の個別情報とパレット区分情報とを収録した冊子情報ファイルを記憶する工程と、
当て紙結束された冊子束の最上部に位置する冊子の表紙に付加された個別情報を読み取り、読み取られた個別情報を、ラベルに印字し、当て紙結束された冊子束に貼り付けるラベル貼り付け工程と、
ラベルに印字された個別情報を読み取り、この個別情報により冊子情報ファイルからパレット区分情報を抽出する工程と、
抽出されたパレット区分情報からパレット積載を区分別に行うパレット積載工程と、
を含むことを特徴とする製本方法。
【請求項６】
バリアブルな印刷物を製本し、冊子（製本印刷物）の表紙に個別情報を付加し、所定のロット区分ごとの冊子束となるよう前記冊子を束ね、前記冊子束に当て紙結束をして、パレットに積載する製本方法であって、
冊子の個別情報とパレット区分情報と付加情報とを収録した冊子情報ファイルを記憶する工程と、
当て紙結束された冊子束の最上部に位置する冊子の表紙に付加された個別情報を読み取り、読み取られた個別情報により冊子情報ファイルから冊子の付加情報を抽出し、抽出された付加情報から得た印字データと読み取られた個別情報とを、ラベルに印字し、当て紙結束された冊子束に貼り付けるラベル貼り付け工程と、
ラベルに印字された個別情報を読み取り、この個別情報により冊子情報ファイルからパレット区分情報を抽出する工程と、
抽出されたパレット区分情報からパレット積載を区分別に行うパレット積載工程と、
を含むことを特徴とする製本方法。
【請求項７】
上記ラベル貼り付け工程は、当て紙結束される前に個別情報を読み取り、当て紙結束中に搬送コンベアの軸の回転数を利用して冊子束の搬送トラッキングを行い、当て紙結束後にその冊子束に貼り付けるラベルの印字及び貼り付けを行うことを特徴とする請求項５又は６記載の製本方法。
【請求項８】
上記個別情報が、バーコードであることを特徴とする請求項５〜７の何れか１項記載の製本方法。
【発明の詳細な説明】
【０００１】
【発明の属する技術分野】
本発明は、バリアブルな印刷物を製造する場合において好適な製本システム及び製本方法に関する。
【０００２】
【従来の技術】
顧客が興味を持つ情報のみを選択した印刷物を無線綴じ製本するといったバリアブルな製本の印刷物は、それぞれ外見や中身の構成が違っており、同一のものは存在しない。このため、例えば配送区分といったようなロット区分が存在し、各ロット毎における製本印刷物をこの区分ごとにパレタイズすることがロット混入防止において重要になってくる。
【０００３】
バリアブルな製本印刷物にはバーコード等の個別情報が付加され判別ができるようになっており、外観検査時に冊子（製本印刷物）をロット区分ごとの束に形成していくことは可能だが、検査後に当て紙結束を行うと当て紙によって個別情報の視認性が悪くなるため、作業者は手作業で当て紙結束とパレット積載をしている。
【０００４】
【発明が解決しようとする課題】
しかし、この方法では作業員の負担が大きいばかりでなく、生産効率の低下や作業員のミスによるロット混入といった問題が生じてくる。
【０００５】
本発明は上記の問題に鑑みてなされたものであり、当て紙結束されたバリアブルな製本印刷物を決められた区分ごとに自動でパレット積載することを課題とする。
【０００６】
【課題を解決するための手段】
本発明において上記の課題を達成するために、まず請求項１の発明では、バリアブルな印刷物を製本し、冊子（製本印刷物）の表紙に個別情報を付加し、所定のロット区分ごとの冊子束となるよう前記冊子を束ね、前記冊子束に当て紙結束をして、パレットに積載する製本システムであって、冊子の個別情報とパレット区分情報とを収録した冊子情報ファイルを記憶する手段と、当て紙結束された冊子束の最上部に位置する冊子の表紙に付加された個別情報を読み取り、読み取られた個別情報を、ラベルに印字し、当て紙結束された冊子束に貼り付けるラベル貼り付け手段と、ラベルに印字された個別情報を読み取り、この個別情報により冊子情報ファイルからパレット区分情報を抽出する手段と、抽出されたパレット区分情報からパレット積載を区分別に行うパレット積載手段と、を具備することを特徴とする製本システムとしたものである。
【０００７】
また請求項２の発明では、バリアブルな印刷物を製本し、冊子（製本印刷物）の表紙に個別情報を付加し、所定のロット区分ごとの冊子束となるよう前記冊子を束ね、前記冊子束に当て紙結束をして、パレットに積載する製本システムであって、冊子の個別情報とパレット区分情報と付加情報とを収録した冊子情報ファイルを記憶する手段と、当て紙結束された冊子束の最上部に位置する冊子の表紙に付加された個別情報を読み取り、読み取られた個別情報により冊子情報ファイルから冊子の付加情報を抽出し、抽出された付加情報から得た印字データと読み取られた個別情報とを、ラベルに印字し、当て紙結束された冊子束に貼り付けるラベル貼り付け手段と、ラベルに印字された個別情報を読み取り、この個別情報により冊子情報ファイルからパレット区分情報を抽出する手段と、抽出されたパレット区分情報からパレット積載を区分別に行うパレット積載手段と、を具備することを特徴とする製本システムとしたものである。
【０００８】
また請求項３の発明では、上記ラベル貼り付け手段は、当て紙結束される前に個別情報を読み取り、当て紙結束中に搬送コンベアの軸の回転数を利用して冊子束の搬送トラッキングを行い、当て紙結束後にその冊子束に貼り付けるラベルの印字及び貼り付けを行うことを特徴とする請求項１又は２記載の製本システムとしたものである。
【００１０】
また請求項４の発明では、上記個別情報が、バーコードであることを特徴とする請求項１〜３の何れか１項記載の製本システムとしたものである。
【００１１】
また請求項５の発明では、バリアブルな印刷物を製本し、冊子（製本印刷物）の表紙に個別情報を付加し、所定のロット区分ごとの冊子束となるよう前記冊子を束ね、前記冊子束に当て紙結束をして、パレットに積載する製本方法であって、冊子の個別情報とパレット区分情報とを収録した冊子情報ファイルを記憶する工程と、当て紙結束された冊子束の最上部に位置する冊子の表紙に付加された個別情報を読み取り、読み取られた個別情報を、ラベルに印字し、当て紙結束された冊子束に貼り付けるラベル貼り付け工程と、ラベルに印字された個別情報を読み取り、この個別情報により冊子情報ファイルからパレット区分情報を抽出する工程と、抽出されたパレット区分情報からパレット積載を区分別に行うパレット積載工程と、を含むことを特徴とする製本方法としたものである。
【００１２】
また請求項６の発明では、バリアブルな印刷物を製本し、冊子（製本印刷物）の表紙に個別情報を付加し、所定のロット区分ごとの冊子束となるよう前記冊子を束ね、前記冊子束に当て紙結束をして、パレットに積載する製本方法であって、冊子の個別情報とパレット区分情報と付加情報とを収録した冊子情報ファイルを記憶する工程と、当て紙結束された冊子束の最上部に位置する冊子の表紙に付加された個別情報を読み取り、読み取られた個別情報により冊子情報ファイルから冊子の付加情報を抽出し、抽出された付加情報から得た印字データと読み取られた個別情報とを、ラベルに印字し、当て紙結束された冊子束に貼り付けるラベル貼り付け工程と、ラベルに印字された個別情報を読み取り、この個別情報により冊子情報ファイルからパレット区分情報を抽出する工程と、抽出されたパレット区分情報からパレット積載を区分別に行うパレット積載工程と、を含むことを特徴とする製本方法としたものである。
【００１３】
また請求項７の発明では、上記ラベル貼り付け工程は、当て紙結束される前に個別情報を読み取り、当て紙結束中に搬送コンベアの軸の回転数を利用して冊子束の搬送トラッキングを行い、当て紙結束後にその束に貼り付けるラベルの印字及び貼り付けを行うことを特徴とする請求項５又は６記載の製本方法としたものである。
【００１５】
また請求項８の発明では、上記個別情報が、バーコードであることを特徴とする請求項５〜７の何れか１項記載の製本方法としたものである。
【００１６】
【発明の実施の形態】
以下、図面を用いて本発明の実施の形態を詳細に説明する。本発明システムの概略構成を、図１に示す。パーソナルコンピュータ６には予め冊子の種別情報、束情報、搬送区分情報を収録した冊子情報ファイルを記憶させておく。バーコードリーダー７ａは検査工程から搬送されてくる束の最上部に位置する冊子のバーコードを読み取り、ライン制御装置５に読取り結果を電送する。束がワーク通過センサー２を通過したときにライン制御装置５はその束から読み取ったバーコード情報をパーソナルコンピュータ６に送る。パーソナルコンピュータ６はその情報と冊子情報ファイルとを照らし合わせて束に貼り付けるラベルの印字内容を検索し、オートラベラー３にラベル印字命令を出力し、オートラベラー３はこの束にラベルを貼り付ける。バーコードリーダー７ｂはオートラベラー３で貼り付けたラベルのバーコードを読み取り、パーソナルコンピュータ６にバーコード情報を送る。パーソナルコンピュータ６はその情報からこの束は同じパレットに積載して良いか判断し、ライン制御装置５に搬送物通過制御装置４及びパレタイザーの制御命令を出力する。ライン制御装置はパーソナルコンピュータ６から命令を受け取り、搬送物通過制御装置４とパレタイザーの制御を行う。
【００１７】
以上がこのシステムの概要である．続いて，パーソナルコンピュータ６に記憶されている冊子情報ファイルの内容及び性質を具体的なモデルに基づいて記述する。図２に冊子情報ファイルの具体的な内容の一例を示す。この例では５つの冊子に対しての情報が記録されている。バーコードＩＤ２１は表紙に印刷されたバーコードを指す。パレット番号２２はパレットの区分を表す。例えば図２の例ではバーコードＩＤ「１００１２」と「１００１３」とは同じパレットに積載し、「１００１４」と「１００１５」と「１００１６」とは同じパレットに積載することを意味する。付加データ２３はラベルにバーコード印字するときに付加する印字内容の基になるデータである。パーソナルコンピュータ６はこの情報を利用してオートラベラー３のフォーマットに則ったラベル印字データを作成する。
【００１８】
続いて、本発明システムの処理動作を、図４のフローチャートに従って、説明する。ロットごとに製本された冊子は検査工程でロットごとに正しく組まれた束として搬送されてくる（Ｓ１，Ｓ２）。この束の最上部に位置する冊子のバーコードをバーコードリーダー７ａで読み取り、読取り結果はライン制御装置５に送られる（Ｓ３）。ライン制御装置５は当て紙結束機１のコンベアの回転数を利用して束の搬送トラッキングを行い、束がワーク通過センサー2を通過するときにライン制御装置５はこの束のバーコード情報をパーソナルコンピュータ６に伝送する（Ｓ４〜６）。パーソナルコンピュータ６はバーコード情報から冊子情報ファイルを検索し、束に貼り付けるラベル印字データをオートラベラー３に送り，オートラベラー３はこれをラベルに印字して待機，束がオートラベラー３を通過するときに印字したラベルを貼りつける（Ｓ７〜９）。
【００１９】
ラベルのフォーマットは必ず読み取ったバーコードを含むものでなければならないが、それ以外に例えば束に含まれる内容物などを印字しても良い。フォーマットの一例を図３に示す。この例ではラベル３１の上部に付加情報を，下部にはバーコード３２を印字している。
【００２０】
オートラベラー３を通過した冊子の束が搬送物通過制御装置４まで流れてくると、バーコードリーダー７ｂは束に貼り付けられたラベルのバーコードを読み取り、このバーコードに対応するパレット番号２２をパーソナルコンピュータ６が検索する（Ｓ１０）。検索したパレット番号が前回のパレット番号と同じ場合、この束は同じパレットに積載される（Ｓ１１，Ｓ１３）。他方、検索したパレット番号が前回のパレット番号と違う場合、この束は同じパレットに積載してはいけないので、パーソナルコンピュータ６はライン制御装置５に搬送物通過制御装置４及びパレタイザーへの制御命令を出力する（Ｓ１１）。制御命令を受け取ったライン制御装置５は搬送物通過制御装置４で束のパレタイザーへの搬送を停止し、パレタイザーにパレットの交換命令を出力、パレットを交換したら搬送を再開する動作を行う（Ｓ１２，Ｓ１３）。
【００２１】
【発明の効果】
請求項１及び請求項６の発明は、当て紙結束されたバリアブルな製本印刷物の束を決められた区分ごとに自動でパレット積載できるという効果がある。
【００２２】
請求項２及び請求項７の発明は、当て紙結束されたバリアブルな製本印刷物の束を決められた区分ごとに自動でパレット積載できるという効果に加えて、当て紙結束されたバリアブルな製本印刷物の束に貼るラベルに、例えば束に含まれる内容物をなどの付加情報を印字できるという効果がある。
【００２３】
請求項３及び請求項８の発明は、バリアブルな製本印刷物の束の最上部に位置する冊子の個別情報と、この個別情報に対応する付加情報とを印字したラベルを、当て紙結束されたバリアブルな製本印刷物の束に貼り付けられるという効果がある。
【００２４】
請求項４及び請求項９の発明は、当て紙結束されたバリアブルな製本印刷物の束を、適切なパレットに積載できるという効果がある。
【００２５】
請求項５及び請求項１０の発明は、個別情報として、一般に普及しているバーコードを用いるので、安価で確実に読み取れるという効果がある。
【００２６】
以上の結果、本発明は、バリアブルな製本印刷物を製造する場合において、パレタイズ作業における作業員の作業負担や人為的ミスによるロット混入といった問題を解決し、作業効率の向上を図ることが可能となるという効果がある。
【図面の簡単な説明】
【図１】製本システムの概略構成図である。
【図２】システムで利用される冊子情報ファイルの内容の具体例を示す図である。
【図３】当て紙結束された冊子の束に貼り付けるラベルフォーマットの一例を示したものである。
【図４】システムの処理動作を示すフローチャートである。
【符号の説明】
１…当て紙結束機
２…ワーク通過センサー
３…オートラベラー
４…搬送物通過制御装置
５…ライン制御装置
６…パーソナルコンピュータ
７ａ…バーコードリーダー
７ｂ…バーコードリーダー
２１…バーコードID
２２…パレット番号
２３…付加データ
３１…ラベル
３２…バーコード
【図１】
0004816849.tif 000002
【図２】
0004816849.tif 000003
【図３】
0004816849.tif 000004
【図４】
0004816849.tif 000005